(57)【要約】      （修正有）【課題】誰もが簡単且つ容易に組み立て可能で、美観的にも高級感があり、且つ、部屋の角部に適合する外観形状、及び、所定のテレビサイズに適合する大きさをそれぞれ有し、かつ、安全性・組立機能性・経済性等に優れた簡易組立式テレビ台を提供する。【解決手段】上面部水平方向に設けた天板１と、下面部水平方向に設けた底板２と、左右両側面部垂直方向にそれぞれ立設して設けた側板３，３’と、左右側板の前面にそれぞれ立設して設けた矩形状の飾り板４と、左右側板内面の背面部にそれぞれ設けた矩形状の補強板５と、前面左右を観音開き式に開閉可能にそれぞれ設けた強化ガラス製観音開き式開閉扉７，７’と、左右側板中央の上下中間部に水平に設け、且つ、設置高さを上下方向に段階的に所定寸法調整可能に設けた棚板６と、底板の下面部に複数設けたキャスターＣＡから成るものである。【選択図】図１
0003168401.tif 000002
【実用新案登録請求の範囲】
【請求項１】
左右側板を折り畳み収納式にし、組立時に、誰もが簡単、且つ、容易に組み立て可能に設けたテレビ台であって、該テレビ台は、上面部水平方向に設けた天板（１）と、下面部水平方向に設けた底板（２）と、左右両側面部垂直方向にそれぞれ立設して設けた側板（３）（３'）と、左右側板の前面にそれぞれ立設して設けた矩形状の飾り板（４）（４）と、左右側板内面の背面部にそれぞれ設けた矩形状の補強板（５）（５）と、前面左右を観音開き式に開閉可能にそれぞれ設けた強化ガラス製観音開き式開閉扉（７）（７'）と、左右側板中央の上下中間部に水平に設け、且つ、設置高さを上下方向に段階的に所定寸法調整可能に設けた棚板（６）と、底板の下面部に複数設けたキャスター（ＣＡ）から成り、且つ、該天板（１）及び底板（２）の左右端面をそれぞれＲ形状に形成して部屋の角部に容易に設置可能に設け、且つ、該左右側板のほぼ上端部を二分割し、該接続部に複数の蝶番（Ｈ）（Ｈ）等の折り畳み式連結部材でそれぞれ天板（１）に連結して、折り畳み収納可能に設けたことを特徴とする簡易組立式テレビ台。
【請求項２】
テレビ台を組立時は、天板（１）側が底面になるように反転させ、折り畳み収納した左右側板（３）（３'）を開いて垂直方向にそれぞれ立設し、且つ、該左右側板前面に前飾り板（４）（４）を、又、左右側板内面の背面部に補強板（５）（５）をそれぞれ立設し、且つ、該側板上面に反転させた底板（２）を複数のビス等の係止部材でそれぞれ係止し、且つ、反転させた底板上面に複数のキャスター（ＣＡ）をそれぞれ軸支し、且つ、左右側板中央の上下中間部に段階的に所定寸法だけ上下調整移動可能に設けた棚板（６）を敷設し、且つ、天板（１）と底板（２）間の前面左右に強化ガラス製観音開き式開閉扉（７）（７'）をそれぞれ軸支して設けたことを特徴とする請求項１記載の簡易組立式テレビ台。
【考案の詳細な説明】
【技術分野】
【０００１】
この考案は、左右側板を折り畳み収納式にし、組立時に、誰もが簡単、且つ、容易に組み立て可能に設けた、簡易組立式テレビ台に関するものである。
【背景技術】
【０００２】
従来のテレビ台は設置するテレビの大きさによって、形状や構造が異なり、且つ、部品点数及び金具類が多くて、組み立て方法が解り難く、又、組み立てに必要な工具も複数の種類が必要に成り、組み立て工数が多く、組み立て時間も予想以上に掛かり、特に女性やお年寄りには容易に組み立てることが難しかった。
【０００３】
従って、おのずと梱包容積が嵩張り、梱包用の段ボール箱の大きさも大きい物が必要とされ、運送賃も高額に成り、又、組み立てる際の場所的な問題が生じる等、問題が多かった。
【０００４】
そこで、上記の問題を解決するべく、組み立て時の部品点数及び工数を減少し、且つ、誰もが容易に組立・分解が出来、且つ、梱包容積が嵩張らず経済的であり、且つ、美観的にも高級感が有り、部屋の角部でも設置可能で、且つ、安全性、作業性、経済性に優れた簡易組立式テレビ台の早期開発が求められている。
【０００５】
これまでに出願されているテレビ台に関する特許文献を参考のため、紹介する（特許文献１〜２参照）。
【先行技術文献】
【特許文献】
【０００６】
【特許文献１】特開平８−１７３２５７
【特許文献２】特開２００１−２６８４７８
【考案の概要】
【考案が解決しようとする課題】
【０００７】
そこで、上記課題を解決する為に、この考案は誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れた簡易組立式テレビ台を開発・提供する事にある。
【課題を解決するための手段】
【０００８】
この課題を解決するための手段として、上面部水平方向に設けた天板と、下面部水平方向に設けた底板と、左右両側面部垂直方向にそれぞれ立設して設けた側板と、左右側板の前面にそれぞれ立設して設けた矩形状の飾り板と、左右側板内面の背面部にそれぞれ設けた矩形状の補強板と、前面左右を観音開き式に開閉可能にそれぞれ設けた強化ガラス製観音開き式開閉扉と、左右側板中央の上下中間部に水平に設け、且つ、設置高さを上下方向に段階的に所定寸法調整可能に設けた棚板と、底板の下面部に複数設けたキャスターから成り、且つ、該天板及び底板の左右端面をそれぞれＲ形状に形成して部屋の角部に容易に設置可能に設け、且つ、該左右側板のほぼ上端部を二分割し、該接続部に複数の蝶番等の折り畳み式連結部材でそれぞれ天板に連結して、折り畳み収納可能に設けたものである。
【０００９】
又、テレビ台を組立時は、天板側が底面になるように反転させ、折り畳み収納した左右側板を開いて垂直方向にそれぞれ立設し、且つ、該左右側板前面に前飾り板を、又、左右側板内面の背面部に補強板をそれぞれ立設し、且つ、該側板上面に反転させた底板を複数のビス等の係止部材でそれぞれ係止し、且つ、反転させた底板上面に複数のキャスターをそれぞれ軸支し、且つ、左右側板中央の上下中間部に段階的に所定寸法だけ上下調整移動可能に設けた棚板を敷設し、且つ、天板と底板間の前面左右に強化ガラス製観音開き式開閉扉をそれぞれ軸支して設けたものである。
【考案の効果】
【００１０】
この考案の効果として、上面部水平方向に設けた天板と、下面部水平方向に設けた底板と、左右両側面部垂直方向にそれぞれ立設して設けた側板と、左右側板の前面にそれぞれ立設して設けた矩形状の飾り板と、左右側板内面の背面部にそれぞれ設けた矩形状の補強板と、前面左右を観音開き式に開閉可能にそれぞれ設けた強化ガラス製観音開き式開閉扉と、左右側板中央の上下中間部に水平に設け、且つ、設置高さを上下方向に段階的に所定寸法調整可能に設けた棚板と、底板の下面部に複数設けたキャスターから成り、且つ、該天板及び底板の左右端面をそれぞれＲ形状に形成して部屋の角部に容易に設置可能に設け、且つ、該左右側板のほぼ上端部を二分割し、該接続部に複数の蝶番等の折り畳み式連結部材でそれぞれ天板に連結して、折り畳み収納可能に設け、外観を高級感ある艶有り塗装を施し、又、テレビ台を組立時は、天板側が底面になるように反転させ、折り畳み収納した左右側板を開いて垂直方向にそれぞれ立設し、且つ、該左右側板前面に前飾り板を、又、左右側板内面の背面部に補強板をそれぞれ立設し、且つ、該側板上面に反転させた底板を複数のビス等の係止部材でそれぞれ係止し、且つ、反転させた底板上面に複数のキャスターをそれぞれ軸支し、且つ、左右側板中央の上下中間部に段階的に所定寸法だけ上下調整移動可能に設けた棚板を敷設し、且つ、天板と底板間の前面左右に強化ガラス製観音開き式開閉扉をそれぞれ軸支して設け、且つ、製造メーカー側で、予め組立可能な部品を組み立て、コンパクトに梱包可能にする事で、組立不良を無くし、誰もが簡単、且つ、容易に短時間で組み立て可能で、美観的にも高級感があり、且つ、部屋の角部に適合する外観形状、及び、所定のテレビサイズに適合する大きさの品揃えを完備し、且つ、安全性・組立機能性・経済性等に優れる等、極めて有益なる効果を奏するものである。
【図面の簡単な説明】
【００１１】
【図１】この考案の一実施例を示し、（Ａ）は一部欠截平面図で、（Ｂ）は一部欠截正面図である。
【図２】この考案の一実施例を示し、一部欠截背面図である。
【図３】この考案の一実施例を示し、（Ａ）は右側面図で、（Ｂ）は図１（Ｂ）のａ−ａ矢視一部欠截断面図である。
【図４】この考案の一実施例を示し、（Ａ）は天板と側板の組立要領を示す平面図で、（Ｂ）は正面図である。
【図５】この考案の一実施例を示し、（Ａ）は天板の一部拡大断面図で、（Ｂ）は底板の一部拡大断面図である。
【図６】この考案の一実施例を示し、簡易組立式テレビ台の組立手順を示す斜視図である。
【考案を実施するための形態】
【００１２】
この考案を実施するための形態として、左右側板を折り畳み収納式にし、組立時に、誰もが簡単、且つ、容易に組み立て可能に設けたテレビ台であって、該テレビ台は、上面部水平方向に設けた天板（１）と、下面部水平方向に設けた底板（２）と、左右両側面部垂直方向にそれぞれ立設して設けた側板（３）（３'）と、左右側板の前面にそれぞれ立設して設けた矩形状の飾り板（４）（４）と、左右側板内面の背面部にそれぞれ設けた矩形状の補強板（５）（５）と、前面左右を観音開き式に開閉可能にそれぞれ設けた強化ガラス製観音開き式開閉扉（ＧＢ）（ＧＢ）と、左右側板中央の上下中間部に水平に設け、且つ、設置高さを上下方向に段階的に所定寸法調整可能に設けた棚板（６）と、底板の下面部に複数設けたキャスター（ＣＡ）から成り、且つ、該天板（１）及び底板（２）の左右端面をそれぞれＲ形状に形成して部屋の角部に容易に設置可能に設け、且つ、該左右側板のほぼ上端部を二分割し、該接続部に複数の蝶番（Ｈ）（Ｈ）等の折り畳み式連結部材でそれぞれ底板（２）に連結して、折り畳み収納可能に設けたことを特徴とする簡易組立式テレビ台から構成される。
【００１３】
又、テレビ台を組立時は、天板（１）側が底面になるように反転させ、折り畳み収納した左右側板（３）（３'）を開いて垂直方向にそれぞれ立設し、且つ、該左右側板前面に前飾り板（４）（４）を、又、左右側板内面の背面部に補強板（５）（５）をそれぞれ立設し、且つ、該側板上面に反転させた底板（２）を複数のビス等の係止部材でそれぞれ係止し、且つ、反転させた底板上面に複数のキャスター（ＣＡ）をそれぞれ軸支し、且つ、左右側板中央の上下中間部に段階的に所定寸法だけ上下調整移動可能に設けた棚板（６）を敷設し、且つ、天板（１）と底板（２）間の前面左右に強化ガラス製観音開き式開閉扉（７）（７'）をそれぞれ軸支して設けたことを特徴とする簡易組立式テレビ台から構成される。
【実施例１】
【００１４】
そこで、この考案の一実施例を図１〜図５に基づいて詳述すると、本考案の折り畳み式テレビ台は、図１（Ａ）（Ｂ）に示すように、外観の大きさが横幅寸法８５０ｍｍ×高さ寸法４２０ｍｍ×奥行き寸法３８５ｍｍに形成され、且つ、該上面部の天板（１）は、板厚寸法２８ｍｍ×横幅寸法８５０ｍｍ×奥行き寸法３７０ｍｍで、左右両端面を対称的なＲ５００ｍｍとＲ３００の合成曲線でＲ状に形成し、且つ、該天板の材質は、図５（Ａ）に示すように、三層合板のＭＤＦ材を使用し、上面前側角部をＲ１２ｍｍの面取り加工が施されている。又、天板下面の前面側には、強化ガラス製観音開き式開閉扉（７）（７'）を固定するための、マグネット付掛け金具（ＭＧ）が、予め、ビス（Ｂ１）等の係止部材でそれぞれ４箇所固着して設けられ、更に、天板下面前側左右には、開閉扉（７）（７'）の開閉用軸受け穴（Ｓ１）（Ｓ１）をそれぞれ設けている。
【００１５】
そして、下面部の底板（２）は、板厚寸法３０ｍｍ×横幅寸法８５０ｍｍ×奥行き寸法３８５ｍｍで、左右両端面を対称的なＲ５００ｍｍとＲ３００の合成曲線でＲ状に形成し、且つ、該底板（２）の材質は二層合板のＭＤＦ材を使用し、上面前側角部をＲ１５ｍｍの面取り加工が施され、更に、底板（２）上面前側左右には、開閉扉（７）（７'）の軸受け穴（Ｓ１'）（Ｓ１'）をそれぞれ設け、又、底板（２）下面には底板を側板下面に係止するための係止穴（Ｂ２"）（Ｂ２"）（Ｂ２"）（Ｂ２"）を左右前後４箇所にそれぞれ設け、且つ、キャスター係止用軸受け穴（Ｓ２'）（Ｓ２'）（Ｓ２'）（Ｓ２'）（Ｓ２'）を左右前後及び中央前側の５箇所にそれぞれ設け、該キャスター係止用軸受け穴部にはキャスター用軸受けブッシュ（Ｓ２）（Ｓ２）（Ｓ２）（Ｓ２）（Ｓ２）をそれぞれ嵌着して設けている
ている。
【００１６】
又、左右両側面部の側板（３）（３'）は、板厚寸法１８ｍｍ×横幅寸法３４４ｍｍ×高さ寸法３２６．５ｍｍに形成し、且つ、該側板は、上部の幅狭側板（３ａ）（３ａ'）・（幅＝２６ｍｍ）と下部の幅広側板（３ｂ）（３ｂ'）・（幅＝３００．５ｍｍ）にそれぞれ二分割し、且つ、天板と底板間の前後二箇所には、ビス等の係止部材（Ｂ１）でそれぞれ係止された蝶番（Ｈ）（Ｈ）をそれぞれ天板（１）に連結して設けている。又、左右側板の上下方向中間部の前後二箇所には、図３（Ｂ）に示すように、棚板（６）の高さを三段階に調整するための、ダボ嵌挿用穴（Ｄ２'）（Ｄ２'）がそれぞれ設けられている。そして、更に左右側板の幅狭側板側の上面部には、側板を天板側に係止するための、ビスネジ挿通用の係止穴（Ｂ２'）（Ｂ２'）（Ｂ２'）を三箇所と、天板を固定するためのダボ（Ｄ１）（Ｄ１）を嵌挿するためのダボ嵌挿用穴部（Ｄ１'）（Ｄ１'）を二箇所それぞれ設け、且つ、該ダボ嵌挿用穴部には、予め、ダボ（Ｄ１）（Ｄ１）がそれぞれ嵌着して設けてある。
【００１７】
そして、上記左右側板（３）（３'）の前面には、横幅寸法７４ｍｍ×高さ寸法３２６．５ｍｍ×板厚寸法１８ｍｍの飾り板（４）（４）を側板に対して直角方向にそれぞれ立設して設け、又、左右側板（３）（３'）の内側背面には、横幅寸法７４ｍｍ×高さ寸法３２６．５ｍｍ×板厚寸法１８ｍｍの補強板（５）（５）をそれぞれ立設して設けている。そして、前記左右側板及び左右補強板の上下両面には、それぞれ２箇所の案内用ダボ（Ｄ１）（Ｄ１）を嵌挿するためのダボ嵌挿用穴部（Ｄ１'）（Ｄ１'）をそれぞれ設け、該ダボ嵌挿用穴部にはダボ（Ｄ１）（Ｄ１）を、予め、それぞれ嵌挿して設けている。
【００１８】
そして、更に簡易組立式テレビ台の中央前面には観音開き式に開閉可能にそれぞれ設け、且つ、それぞれの左右開閉扉の一端側上下にはガラス扉固定開き用金具（Ｐ）（Ｐ'）・（Ｐ）（Ｐ'）をそれぞれ有する強化ガラス製観音開き式開閉扉（７）（７'）を設け、且つ、該左右開閉扉は天板下面前側に４本のビス（Ｂ１）等の係止部材でそれぞれ螺着して設けたガラス扉固定用マグネット付掛け金具（ＭＧ）が予め設けられている。尚、前記左右開閉扉（７）（７'）の下側に設けたガラス扉固定開き用金具（Ｐ'）（Ｐ'）の軸部には振動等による抜け出し防止用のバネが内蔵されている。
【００１９】
次に、簡易組立式テレビ台の組立手順について説明すると、図６に示すように、最初に、予め天板下面にビス止めした左右側板側を上面にして、左右側板の幅広側板（３ｂ）（３ｂ'）を開いてそれぞれ垂直方向に立設する。そして、予め飾り板の上下面に嵌着されたダボ部をそれぞれの嵌挿用穴部に合せながら、左右側板の前面部に飾り板（４）（４）を垂直方向に側板に対して直角になるようにそれぞれ立設する。続いて、左右側板内側の背面部に、前記と同様、予め補強板の上下面に嵌着されたダボ部をそれぞれの嵌挿用穴部に合せながら、補強板を側板に対して直角方向にそれぞれ宛がうようにして立設する。そして、底板を上面から被せて、底板の左右・前後に設けた係止穴部（Ｂ２"）に、４本のビス（Ｂ２）等の係止部材を挿通し、側板上面の左右・前後に設けた係止穴部（Ｂ２'）に係止する。そして、底板のキャスター係止穴部（Ｓ２'）の軸受けブッシュ（Ｓ２）部にキャスター（ＣＡ）をそれぞれ５箇所嵌着し、底板と天板の上下方向を反転させ、更に、左右側板前後にそれぞれ設けたダボ（Ｄ２）（Ｄ２）・（Ｄ２）（Ｄ２）の上に棚板（６）をそれぞれ乗せ、続いて、左右開閉扉（７）（７'）の開閉軸部を天板（１）と底板（２）の軸受け穴（Ｓ１）（Ｓ１）・（Ｓ１'）（Ｓ１'）にそれぞれ嵌挿し、ガラス扉を閉じてガラス扉固定用金具（ＳＰ）（ＳＰ）部をマグネット付掛け金具（ＭＧ）にそれぞれ当てて固定し、組立を完了する。
【産業上の利用可能性】
【００２０】
この考案の簡易組立式テレビ台は、誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れているため、製造・販売することで、多くの関係市場に寄与するため、産業上の利用可能性を有する。
【符号の説明】
【００２１】
１  天板
２  底板
３  側板（左側）
３ａ  幅狭側板（左側）
３ｂ  幅広側板（左側）
３'  側板（右側）
３ａ'  幅狭側板（右側）
３ｂ'  幅広側板（右側）
４  飾り板（左・右共用）
５  補強板（左・右共用）
６  棚板
７  強化ガラス製観音開き式開閉扉（左側）
７'  強化ガラス製観音開き式開閉扉（右側）
Ｂ１  ビス等の係止部材
Ｂ２  木ネジ等の係止部材（天板側）
Ｂ２'  木ネジ等の係止部材（底板側）
Ｂ２"  係止穴部（底板用）
ＣＡ  キャスター
Ｄ１  ダボ
Ｄ１'  ダボ嵌挿用穴部
Ｄ２  ダボ
Ｄ２'  ダボ嵌挿用穴部
Ｈ  蝶番
ＭＧ  ガラス扉固定用マグネット付掛け金具
Ｐ  ガラス扉固定開き用金具（天板側）
Ｐ'  ガラス扉固定開き用金具（底板側）
Ｓ１  ガラス扉用軸受け穴（天板側）
Ｓ１'  ガラス扉用軸受け穴（底板側）
Ｓ２  キャスター用軸受けブッシュ
Ｓ２'  軸受け穴
ＳＰ  ガラス扉固定用金具
【図１】
0003168401.tif 000003
【図２】
0003168401.tif 000004
【図３】
0003168401.tif 000005
【図４】
0003168401.tif 000006
【図５】
0003168401.tif 000007
【図６】
0003168401.tif 000008